(57)【要約】【課題】  ＤＳＣとＰｒｉｎｔｅｒとの合いだの通信がたとえ各社で共通化されたとしても、ユーザがＤＳＣのＵＩ上に表示された「写真用紙」「高速印刷向け写真用紙」という情報のみに基づいて正しい記録用紙種類を選択することは非常に困難である。【解決手段】  かかる課題を解決するため、画像入力装置と画像出力装置を直接有線若しくは無線で接続し、前記画像入力装置が操作される事で出力すべき画像を選択し、画像出力装置が前記選択された画像を出力するダイレクトプリントシステムにおいて用いられる出力メディアであって、前記ダイレクトプリントシステムへ対応していることを示す表記がなされてなることを特徴とする出力メディアを提供する。【選択図】        図１
2006036322.tif 000002
【特許請求の範囲】
【請求項１】
画像入力装置と画像出力装置を直接有線若しくは無線で接続し、前記画像入力装置が操作される事で出力すべき画像を選択し、画像出力装置が前記選択された画像を出力するダイレクトプリントシステムにおいて用いられる出力メディアであって、前記ダイレクトプリントシステムへ対応していることを示す表記がなされてなることを特徴とする出力メディア。
【請求項２】
前記出力メディアは更に、前記画像入力装置が操作される事で出力すべき出力メディアの種類を選択し、前記メディアの種類の選択時にメディアの製品名称とは異なる表記を用いて表示されたメディア情報を元に選択を行い、画像出力装置が前記選択された画像を前記選択されたメディアに好適な処理を行って出力するダイレクトプリントシステムにおいて、前記画像出力装置で用いられる出力メディア前記メディア情報を示す表記を有する事を特徴とする請求項１に記載の出力メディア。
【請求項３】
前記出力メディアは更に、前記画像出力装置で用いられる出力メディアに前記出力機器の機器名を含む機器情報を示す表記を有する事を特徴とする請求項１及び２に記載の出力メディア。
【請求項４】
画像入力装置と画像出力装置を直接有線若しくは無線で接続し、前記画像入力装置が操作される事で出力すべき画像を選択し、画像出力装置が前記選択された画像を出力するダイレクトプリントシステムにおいて用いられる出力メディアを梱包する梱包部材であって、前記ダイレクトプリントシステムへ対応していることを示す表記がなされてなることを特徴とする出力メディアを梱包する梱包部材。
【請求項５】
前記出力メディアは更に、前記画像入力装置が操作される事で出力すべき出力メディアの種類を選択し、前記メディアの種類の選択時にメディアの製品名称とは異なる表記を用いて表示されたメディア情報を元に選択を行い、画像出力装置が前記選択された画像を前記選択されたメディアに好適な処理を行って出力するダイレクトプリントシステムにおいて、前記画像出力装置で用いられる出力メディア前記メディア情報を示す表記を有する事を特徴とする請求項４に記載の出力メディアを梱包する梱包部材。
【請求項６】
前記出力メディアは更に、前記画像出力装置で用いられる出力メディアに前記出力機器の機器名を含む機器情報を示す表記を有する事を特徴とする請求項４または５に記載の出力メディアを梱包する梱包部材。
【発明の詳細な説明】
【技術分野】
【０００１】
業界標準カメラダイレクト印刷で使用される記録用紙及び包装部材に関する。
【背景技術】
【０００２】
近年、デジタルカメラ（ＤＳＣ）とプリンター（Ｐｒｉｎｔｅｒ）とを直接通信することによって、パーソナルコンピュータを会することなくプリントを得られるシステムが考案されている（特許文献１参照）。
【０００３】
ＤＳＣとＰｒｉｎｔｅｒを直接に接続し、ＤＳＣ上のＵＩを操作することでＰＣを介さずに写真の出力を行うカメラダイレクト印刷方式には、特定の限定された会社による製品間での印刷の実現を目的とした、特定の会社が固有に規定したカメラダイレクト印刷方式と、業界中の不特定多数の会社による製品間での印刷の実現を目的として規定された業界標準カメラダイレクト印刷方式とがある。
【０００４】
固有規定のカメラダイレクト印刷方式、業界標準カメラダイレクト印刷方式を問わず、カメラダイレクト印刷においてはＰｒｉｎｔｅｒにセットした記録用紙種類を如何に正しくＤＳＣ上のＵＩで設定するかが重要となる。
【０００５】
一般に、各記録用紙種類はそれぞれ異なった記録用紙特性を持ち、Ｐｒｉｎｔｅｒ側は最も良好な画質をユーザに提供するべく、記録用紙種類毎に独立に最適化した画像処理、色処理を施す様に設計されている場合が多い。よって間違った記録用紙種類設定と記録用紙種類の組み合わせで記録を行った場合には、他の記録用紙特性に最適化された画像処理、色処理と実際に印刷される記録用紙種類の特性との不整合により、Ｐｒｉｎｔｅｒ設計者の想定外の低品位での印刷画像が出力され、ユーザを失望させる危険性が有る。
【０００６】
固有規定のカメラダイレクト印刷方式での記録用紙種類の選択方法は、Ｐｒｉｎｔｅｒが各会社固有の取り決めによって特定した記録用紙種類のサポート情報を伝達し、ＤＳＣ側は伝達されたサポート情報に基づいて、カメラＵＩ等へ製品名称等の好適な記録用紙種類の表示を行い、表示された記録用紙種類の中からユーザが印刷に用いる記録用紙種類を選択していた。
【０００７】
図１に固有規定のカメラダイレクト印刷方式での詳細な例を示す。ＤＳＣ−１０００及びＰｒｉｎｔｅｒ−２０００は特定の同一会社の製品であり、当該会社による固有規定のカメラダイレクト印刷に対応している。４種類の記録用紙種類パッケージ（Ａｌｆａ  ｐａｃｋａｇｅ−４００１、Ｂｒａｖｏ  ｐａｃｋａｇｅ−４００２、Ｃｈａｒｌｉｅ  ｐａｃｋａｇｅ−４００３、Ｄｅｌｔａ  ｐａｃｋａｇｅ−４００４）も同様に当該会社の製品であり、Ｐｒｉｎｔｅｒ−２０００に対応している記録用紙種類のパッケージであり、それぞれ製品名称を表す。
【０００８】
まず第１ステップ（図１中（１））でユーザは４種類の記録用紙種類パッケージから所望の記録用紙種類パッケージＢｒａｖｏ  ｐａｃｋａｇｅ−４００２を選択し、記録用紙Ｂｒａｖｏ  ｐａｐｅｒ−５００２を取り出して記録用紙としてＰｒｉｎｔｅｒ−２０００へセットする。次に第２ステップ（図１中（２））でユーザはＰｒｉｎｔｅｒ−２０００とＤＳＣ−１０００をケーブル−３０００で接続する。この時点で当該会社固有規定のカメラダイレクト印刷が開始され、移行の動作はこの当該会社固有規定のカメラダイレクト印刷のルールに従って行われる事とする。次に第３ステップ（図１中（３））でＰｒｉｎｔｅｒ−２０００は自分がサポートしている記録用紙種類情報−６００１をＤＳＣ−１０００へと伝達する。ＤＳＣ−１０００は伝達された記録用紙種類情報−６００１を反映した製品名称を用いて記録用紙種類の選択画面をＵＩ−１００１上に表示する。ユーザは上下左右方向ボタン−１００２、決定ボタン−１００３、取り消しボタン−１００４等を用いて既にセットした記録用紙Ｂｒａｖｏ  ｐａｐｅｒ−５００２に対応する記録用紙種類を選択する。更に不図示であるが記録用紙種類選択の前後いずれかのタイミングでユーザはＤＳＣ−１０００に内蔵された不図示の記憶手段に格納された写真画像群中から印刷を希望する写真画像を選択する。次に第４ステップとしてＤＳＣ−１０００はユーザが第３ステップで選択した記録用紙種類情報−６００２及び不図示の印刷希望写真画像情報等を含む印刷指示をＰｒｉｎｔｅｒ−２０００へと伝達する。最後にＰｒｔｉｎｔｅｒ−２０００は伝達された印刷希望写真画像に対して伝達された記録用紙種類情報−６００２に好適な画像処理・色処理を施してＢｒａｖｏ  ｐａｐｅｒ−５００２上に印刷する。以上の様にする事によってユーザは自らセットしたＢｒａｖｏ  ｐａｐｅｒ−５００２上に好適に画像処理・色処理された印刷希望写真の印刷結果を得る事が出来る。
【０００９】
また、国別に記録用紙製品名が異なる記録用紙種類の場合でもＤＳＣ及びＰｒｉｎｔｅｒの国別対応設定で対応していた。
【００１０】
以上の様に固有規定のカメラダイレクト印刷においては、対応するＤＳＣを設計する際には事前に対応するべきＰｒｉｎｔｅｒ及びＰｒｉｎｔｅｒ向けの記録用紙種類が判明している場合が殆どであり、その結果記録用紙種類の選択をユーザに行わせる際はＤＳＣのＵＩ上に記録用紙種類の製品名称をそのまま表示する場合が殆どであった。
【００１１】
逆に、業界標準のカメラダイレクト印刷規格においては、まずどのＤＳＣ及びＰｒｉｎｔｅｒが標準規格に対応するのかが各ＤＳＣ及びＰｒｉｎｔｅｒ会社の方針に委ねられていて非常に不明確である。また、どの記録用紙が標準規格に対応したＰｒｉｎｔｅｒに対応しているのかは各Ｐｒｉｎｔｅｒ会社の方針に委ねられているので更に不明確である。よって業界標準のカメラダイレクト印刷規格においては、Ｐｒｉｎｔｅｒ側は記録用紙種類のサポート情報として「写真用紙」「高速印刷向け写真用紙」等、個別の製品名称とは異なる一般的な名称でのサポート情報を提供し、ＤＳＣ側では前記「写真用紙」「高速印刷向け写真用紙」等の一般的な名称での表示を行ってユーザに記録用紙種類選択を行わせる事としており、それ以上の規定は行っていない。
【００１２】
以上の事から分かるように、固有規定及び業界標準カメラダイレクト印刷のいずれの場合においても、特に記録用紙及び包装部材上に「ユーザによるカメラダイレクト印刷時の記録用紙種類選択の容易性」に特別に留意した「カメラダイレクト印刷特有の」追加記載は何ら行われていなかった。
【特許文献１】特開２００３−２８０８４８号公報
【発明の開示】
【発明が解決しようとする課題】
【００１３】
しかし従来では、ユーザがあるＰｒｉｎｔｅｒとＤＳＣの組み合わせを用いて業界標準カメラダイレクト印刷を行おうとした場合、ＤＳＣのＵＩ上に表示される「写真用紙」「高速印刷向け写真用紙」の表記に対応したＰｒｉｎｔｅｒ用の記録用紙種類を選択する必要がある。
【００１４】
しかし、当該Ｐｒｉｎｔｅｒで使用可能な記録用紙種類はＰｒｉｎｔｅｒによっては１０種類以上に及ぶ。またそれらの記録用紙は実際の製品名称は「写真用紙」「高速印刷向け写真用紙」では無く、各社固有の製品名称及びコード等が割り当てられている事が殆どである。
【００１５】
会社によっては「ＡＡＡ写真用紙」「ＢＢＢ写真用紙」「ＣＣＣ写真用紙」という風に「写真用紙」に類似の製品名称を持つ複数の記録用紙種類が市場に存在し、ユーザに更なる混乱をきたす可能性もある。
【００１６】
よって、ＤＳＣとＰｒｉｎｔｅｒとの合いだの通信がたとえ各社で共通化されたとしても、ユーザがＤＳＣのＵＩ上に表示された「写真用紙」「高速印刷向け写真用紙」という情報のみに基づいて正しい記録用紙種類を選択することは非常に困難であると言える。また、ユーザが業界標準カメラダイレクト印刷と固有規定カメラダイレクト印刷とを両方利用可能であり、選択的に利用する様な場合には正しい記録用紙種類を選択する困難さは更に増大すると言える。
【００１７】
よって、実際には必要に応じてＰｒｉｎｔｅｒのユーザーズマニュアルにそれぞれの表記に好適に対応した記録用紙種類が記載され、ユーザはその記載にしたがって記録用紙種類を選択する事となるであろう。
【００１８】
しかし、ユーザが屋内で印刷する時には、既に店頭等で購入済みの記録用紙を利用して印刷する訳であるから、実際には店頭での購入時に好適な記録用紙を選択する必要が有るが、店頭までＰｒｉｎｔｅｒのユーザーズマニュアルを持って行ったり、マニュアルの記載を記憶したりメモして行く事は可能では有るが非常に不便である。また、ユーザがＤＳＣのマニュアルを読んだとしても、ＤＳＣ側としてはあらゆるＰｒｉｎｔｅｒに関する好適な記録用紙種類を記載するのは困難である事から、マニュアル上の記載が「Ｐｒｉｎｔｅｒのマニュアルを参照下さい」となり、ユーザとしては非常に不便である。
【００１９】
本発明は上述の問題点に着目して成されたものであって、ユーザによる記録用紙の選択を容易とし、また間違った記録用紙と印刷指示設定の組み合わせによる想定外の品位での印刷結果の発生の危険性を低減する事が出来る出力メディア及び出力メディアを梱包する梱包部材の提供を目的とする。
【課題を解決するための手段】
【００２０】
本発明は、上述の課題を解決するための手段として、以下の構成を備える。
【００２１】
業界標準カメラダイレクト印刷対応を明示するロゴ及び説明を付ける。
【００２２】
ＤＳＣのマニュアル上に「業界標準カメラダイレクト印刷対応が明示された記録用紙種類を使用する」旨の記載を行う。
【００２３】
画像入力装置と画像出力装置を直接有線若しくは無線で接続し、前記画像入力装置が操作される事で出力すべき画像を選択し、画像出力装置が前記選択された画像を出力するダイレクトプリントシステムにおいて用いられる出力メディアであって、前記ダイレクトプリントシステムへ対応していることを示す表記がなされてなる出力メディアを提供する。
【発明の効果】
【００２４】
本発明によれば、記録用紙種類パッケージ上への業界標準カメラダイレクト印刷方法を明示するロゴ、用紙種類、Ｐｒｉｎｔｅｒ機種情報等を付与することでユーザによる記録用紙の選択を容易とし、また間違った記録用紙と印刷指示設定の組み合わせによる想定外の品位での印刷結果の発生や用紙切れの危険性を低減する事が出来る。
【発明を実施するための最良の形態】
【００２５】
以下に本発明を実施するための最良の形態を、実施例に基づいて図面を参照しながら説明する。
【実施例】
【００２６】
（第１の実施形態）
図２にユーザが複数種類の記録用紙中から業界標準カメラダイレクト印刷方式に好適な記録用紙を選択する実施例を示す。ＤＳＣ−１１００及びＰｒｉｎｔｅｒ−２１００は業界標準カメラダイレクト印刷に対応している不特定の会社の製品であり、ＤＳＣ−１１００上にはその旨を示すロゴマーク−１１０５、Ｐｒｉｎｔｅｒ−２１００上にはその旨を示すロゴマーク−２１０１が付与されている。４種類の記録用紙種類パッケージ（Ａｌｆａ  ｐａｃｋａｇｅ−４００１、Ｂｒａｖｏ  ｐａｃｋａｇｅ−４００２、Ｃｈａｒｌｉｅ  ｐａｃｋａｇｅ−４００３、Ｄｅｌｔａ  ｐａｃｋａｇｅ−４００４）はＰｒｉｎｔｅｒ−２１００の会社の製品で、Ｐｒｉｎｔｅｒ−２１００に対応している記録用紙種類のパッケージであり、それぞれ製品名称を表す。４種類の記録用紙種類パッケージ中、Ａｌｆａ  ｐａｃｋａｇｅ−４００１はＰｒｉｎｔｅｒ−２１００が唯一種類対応している業界標準カメラダイレクト印刷時の記録用紙指定「写真用紙（Ｐｈｏｔｏ）」に対応する記録用紙種類パッケージであり、パッケージ上にはその旨を明示するロゴマーク−４１０１が付与されている。
【００２７】
まず第１ステップ（図２中（１））はユーザが記録用紙種類パッケージを購入する事を示し、店頭に陳列されている４種類の記録用紙種類パッケージから業界標準カメラダイレクト印刷に対応している記録用紙種類パッケージＡｌｆａ  ｐａｃｋａｇｅ−４００１を選択して購入する。その際に購入の判断材料としてロゴマーク−４１０１が利用される。そしてパッケージ購入後、記録用紙Ａｌｆａ  ｐａｐｅｒ−５００１を取り出して記録用紙としてＰｒｉｎｔｅｒ−２１００へセットする。
【００２８】
次に第２ステップ（図２中（２））でユーザはＰｒｉｎｔｅｒ−２１００とＤＳＣ−１１００をケーブル−３０００で接続する。この時点で業界標準カメラダイレクト印刷が開始され、移行の動作はこの業界標準カメラダイレクト印刷のルールに従って行われる事とする。
【００２９】
次に第３ステップ（図２中（３））でＰｒｉｎｔｅｒ−２１００は自分がサポートしている業界標準カメラダイレクト用の記録用紙種類情報−６１０１をＤＳＣ−１１００へと伝達する。ＤＳＣ−１１００は伝達された記録用紙種類情報−６１０１を反映した「写真用紙（Ｐｈｏｔｏ）」名称を用いて記録用紙種類の選択画面をＵＩ−１１０１上に表示する。本実施例ではＰｒｉｎｔｅｒ−２１００は１種類の「写真用紙（Ｐｈｏｔｏ）」のみをサポートしているので、結果的に自動的に「写真用紙（Ｐｈｏｔｏ）」が選択される。更に不図示であるがいずれかのタイミングでユーザはＤＳＣ−１１００に内蔵された不図示の記憶手段に格納された写真画像群中から印刷を希望する写真画像を選択する。
【００３０】
次に第４ステップとしてＤＳＣ−１１００は自動的に選択された「写真用紙（Ｐｈｏｔｏ）」に対応する記録用紙種類情報−６１０２及び不図示の印刷希望写真画像情報等を含む印刷指示をＰｒｉｎｔｅｒ−２１００へと伝達する。最後にＰｒｔｉｎｔｅｒ−２１００は伝達された印刷希望写真画像に対して伝達された記録用紙種類情報−６１０２に好適な画像処理・色処理を施してＡｌｆａ  ｐａｐｅｒ−５００１上に印刷する。以上の様にする事によってユーザは容易に業界標準カメラダイレクト印刷に対応したＡｌｆａ  ｐａｐｅｒ−５００１上に好適に画像処理・色処理された印刷希望写真の印刷結果を得る事が出来る。
【００３１】
（第２の実施形態）
第１の実施形態ではロゴマークを目印にユーザが記録用紙種類パッケージを購入する例を説明したが、業界標準カメラダイレクト印刷方式でＰｒｉｎｔｅｒが２種類以上（例：「写真用紙（Ｐｈｏｔｏ）」及び「高速印刷向け写真用紙（Ｆａｓｔ  ｐｈｏｔｏ）」）の記録用紙種類をサポートしている場合にはロゴマークだけでは正しい記録用紙種類を選択出来ない。本実施形態ではこの課題を解決する方法を説明する。
【００３２】
図３にユーザが業界標準カメラダイレクト印刷方式に対応した複数種類の記録用紙中から好適な記録用紙を選択する実施例を示す。ＤＳＣ−１１００及びＰｒｉｎｔｅｒ−２２００は第１の実施形態同様業界標準カメラダイレクト印刷に対応している不特定の会社の製品であり、Ｐｒｉｎｔｅｒ−２２００は第１の実施形態のＰｒｉｎｔｅｒ−２１００と異なりＡｌｆａ  ｐａｃｋａｇｅ−４００１及びＢｒａｖｏ  ｐａｃｋａｇｅ−４００２の２種類の記録用紙種類パッケージに対してそれぞれ「写真用紙（Ｐｈｏｔｏ）」及び「高速印刷向け写真用紙（Ｆａｓｔ  ｐｈｏｔｏ）」を割り当てて対応している。パッケージ上にはその旨を明示するロゴマーク−４２０１及び４２０２が付与されている。
【００３３】
まず第１ステップ（図３中（１））はユーザが記録用紙種類パッケージを購入する事を示し、店頭に陳列されている４種類の記録用紙種類パッケージ中の業界標準カメラダイレクト印刷に対応している記録用紙種類パッケージＡｌｆａ  ｐａｃｋａｇｅ−４００１及びＢｒａｖｏ  ｐａｃｋａｇｅ−４００２を選択して購入する。その際に購入の判断材料としてロゴマーク−４２０１及び４２０２が利用される。そしてパッケージ購入後、購入した２種類のうち記録用紙Ｂｒａｖｏ  ｐａｐｅｒ−５００２を選択し取り出して記録用紙としてＰｒｉｎｔｅｒ−２２００へセットする。
【００３４】
次に第２ステップ（図３中（２））でユーザはＰｒｉｎｔｅｒ−２２００とＤＳＣ−１１００をケーブル−３０００で接続する。この時点で業界標準カメラダイレクト印刷が開始され、移行の動作はこの業界標準カメラダイレクト印刷のルールに従って行われる事とする。
【００３５】
次に第３ステップ（図３中（３））でＰｒｉｎｔｅｒ−２２００は自分がサポートしている業界標準カメラダイレクト用の記録用紙種類情報−６２０１をＤＳＣ−１１００へと伝達する。ＤＳＣ−１１００は伝達された記録用紙種類情報−６２０１を反映した「写真用紙（Ｐｈｏｔｏ）」及び「高速印刷向け写真用紙（Ｆａｓｔ  ｐｈｏｔｏ）」の名称を用いて記録用紙種類の選択画面をＵＩ−１１０１上に表示する。ユーザは上下左右方向ボタン−１１０２、決定ボタン−１１０３、取り消しボタン−１１０４等を用いて「高速印刷向け写真用紙（Ｆａｓｔ  ｐｈｏｔｏ）」を選択する。更に不図示であるがいずれかのタイミングでユーザはＤＳＣ−１１００に内蔵された不図示の記憶手段に格納された写真画像群中から印刷を希望する写真画像を選択する。
【００３６】
次に第４ステップとしてＤＳＣ−１１００はユーザに選択された「高速印刷向け写真用紙（Ｆａｓｔ  ｐｈｏｔｏ）」に対応する記録用紙種類情報−６２０２及び不図示の印刷希望写真画像情報等を含む印刷指示をＰｒｉｎｔｅｒ−２２００へと伝達する。最後にＰｒｔｉｎｔｅｒ−２２００は伝達された印刷希望写真画像に対して伝達された記録用紙種類情報−６２０２に好適な画像処理・色処理を施してＢｒａｖｏ  ｐａｐｅｒ−５００２上に印刷する。以上の様にする事によってユーザは容易に業界標準カメラダイレクト印刷の「高速印刷向け写真用紙（Ｆａｓｔ  ｐｈｏｔｏ）」に対応したＢｒａｖｏ  ｐａｐｅｒ−５００２上に好適に画像処理・色処理された印刷希望写真の印刷結果を得る事が出来る。
【００３７】
（第３の実施形態）
第１の実施形態ではロゴマークを目印にユーザが記録用紙種類パッケージを購入する例を説明したが、業界標準カメラダイレクト印刷方式でＰｒｉｎｔｅｒ毎に異なる記録用紙種類をサポートしている場合にはロゴマークだけでは正しい記録用紙種類を選択出来ない。本実施形態ではこの課題を解決する方法を説明する。
【００３８】
図４にユーザが業界標準カメラダイレクト印刷方式に対応した複数種類の記録用紙中から使用するＰｒｉｎｔｅｒに好適な記録用紙を選択する実施例を示す。
【００３９】
ＤＳＣ−１１００、Ｐｒｉｎｔｅｒ−２３００及びＰｒｉｎｔｅｒ−２４００は第１の実施形態同様業界標準カメラダイレクト印刷に対応している不特定の会社の製品である。Ｐｒｉｎｔｅｒ−２３００は類業界標準カメラダイレクト印刷時の記録用紙として唯一Ａｌｆａ  ｐａｃｋａｇｅ−４００１を「写真用紙（Ｐｈｏｔｏ）」として対応しており、Ｐｒｉｎｔｅｒ−２３００は類業界標準カメラダイレクト印刷時の記録用紙として唯一Ｂｒａｖｏ  ｐａｃｋａｇｅ−４００２を「写真用紙（Ｐｈｏｔｏ）」として対応している。Ｐｒｉｎｔｅｒ−２３００及びＰｒｉｎｔｅｒ−２４００はユーザが両者を互いに区別出来る様に機種判別記号と組み合わされたロゴ２３０１及び２４０１が付与されており、パッケージ上にはその旨を明示する機種判別記号と組み合わされたロゴマーク−４３０１及び４３０２が付与されている。
【００４０】
まず第１ステップ（図４中（１））はＰｒｉｎｔｅｒ−２３００を使用しているユーザが記録用紙種類パッケージを購入する事を示し、店頭に陳列されている４種類の記録用紙種類パッケージ中の業界標準カメラダイレクト印刷に対応している記録用紙種類パッケージＡｌｆａ  ｐａｃｋａｇｅ−４００１及びＢｒａｖｏ  ｐａｃｋａｇｅ−４００２のうち、Ｐｒｉｎｔｅｒ−２３００に対応しているパッケージをＡｌｆａ  ｐａｃｋａｇｅ−４００１選択して購入する。その際に購入の判断材料としてロゴマーク−４３０１及び４３０２が利用される。そしてパッケージ購入後、記録用紙Ａｌｆａ  ｐａｐｅｒ−５００１を選択し取り出して記録用紙としてＰｒｉｎｔｅｒ−２３００へセットする。
【００４１】
次に第２ステップ（図４中（２））でユーザはＰｒｉｎｔｅｒ−２３００とＤＳＣ−１１００をケーブル−３０００で接続する。この時点で業界標準カメラダイレクト印刷が開始され、移行の動作はこの業界標準カメラダイレクト印刷のルールに従って行われる事とする。
【００４２】
次に第３ステップ（図４中（３））でＰｒｉｎｔｅｒ−２３００は自分がサポートしている業界標準カメラダイレクト用の記録用紙種類情報−６３０１をＤＳＣ−１１００へと伝達する。ＤＳＣ−１１００は伝達された記録用紙種類情報−６３０１を反映した「写真用紙（Ｐｈｏｔｏ）」の名称を用いて記録用紙種類の選択画面をＵＩ−１１０１上に表示する。本実施例ではＰｒｉｎｔｅｒ−２３００は１種類の「写真用紙（Ｐｈｏｔｏ）」のみをサポートしているので、結果的に自動的に「写真用紙（Ｐｈｏｔｏ）」が選択される。更に不図示であるがいずれかのタイミングでユーザはＤＳＣ−１１００に内蔵された不図示の記憶手段に格納された写真画像群中から印刷を希望する写真画像を選択する。
【００４３】
次に第４ステップとしてＤＳＣ−１１００は自動的に選択された「写真用紙（Ｐｈｏｔｏ）」に対応する記録用紙種類情報−６３０２及び不図示の印刷希望写真画像情報等を含む印刷指示をＰｒｉｎｔｅｒ−２３００へと伝達する。最後にＰｒｔｉｎｔｅｒ−２３００は伝達された印刷希望写真画像に対して伝達された記録用紙種類情報−６３０２に好適な画像処理・色処理を施してＡｌｆａ  ｐａｐｅｒ−５００１上に印刷する。以上の様にする事によってユーザは容易にＰｒｉｎｔｅｒ−２３００の業界標準カメラダイレクト印刷の「写真用紙（Ｐｈｏｔｏ）」に対応したＡｌｆａ  ｐａｐｅｒ−５００１上に好適に画像処理・色処理された印刷希望写真の印刷結果を得る事が出来る。
【００４４】
また、複数のＤＳＣと１台のＰｒｉｎｔｅｒの組み合わせを保持し、複数のＤＳＣのうち１台がＰｒｉｎｔｅｒと同一の会社の製品であり、同一会社の製品間では固有規定ダイレクト印刷方法、他のＤＳＣとＰｒｉｎｔｅｒの間では業界標準カメラダイレクト印刷方法を利用するユーザの場合、両方の印刷方法でそれぞれ対応している記録用紙の種類・範囲が異なる場合が考えられる。一般的には固有規定のカメラダイレクト印刷方法で対応している記録用紙種類の方が業界標準カメラダイレクト印刷方法で対応している記録用紙種類よりも多く、それを包含している場合が多い。そこで、固有規定のダイレクト印刷方法を利用する場合であっても業界標準カメラダイレクト印刷時に好適な記録用紙種類を使用する様にすれば、両印刷方法間での出力結果の一様性の確保が出来、かつ使用する記録用紙種類数の低減に伴い用紙切れの発生頻度の低減等が実現できるので便利である。よって、いずれのカメラダイレクト記録手法を用いる場合においても本発明はユーザに利便性を提供する事が可能である。
【００４５】
また、本発明を利用すると、ＤＳＣのマニュアル上の記載を「Ｐｒｉｎｔｅｒ会社より提供される記録用紙のうち、業界標準カメラダイレクト印刷方式を明示するロゴが付与された記録用紙をご利用下さい」とする事が可能となり、ユーザに対して非常に便利である。
【００４６】
以上説明した様に、記録用紙種類パッケージ上への業界標準カメラダイレクト印刷方法を明示するロゴ、用紙種類、Ｐｒｉｎｔｅｒ機種情報等を付与することでユーザによる記録用紙の選択を容易とし、また間違った記録用紙と印刷指示設定の組み合わせによる想定外の品位での印刷結果の発生や用紙切れの危険性を低減する事が出来る。
【００４７】
本実施例ではロゴ等の付与位置としては記録用紙種類パッケージ上として説明したが、本発明の主旨が実現出来る範囲であれば他の部位、例えば記録用紙の裏面等で有っても良い事は言うまでも無い。
【００４８】
また、記録用紙種類パッケージ及び記録用紙裏面等、複数の場所へのロゴ等の付与を組み合わせる事で本発明の効果を更に安定かつ効果的に提供出来る。
【００４９】
また、本実施例で使用した図面中ではＤＳＣ及びＰｒｉｎｔｅｒを有線で接続したが、これに拘る必要は無く、無線やネットワーク等の接続方法であっても構わない事は言うまでも無い。
【図面の簡単な説明】
【００５０】
【図１】固有規定のカメラダイレクト印刷方式での詳細な例を示す図
【図２】ユーザが複数種類の記録用紙中から業界標準カメラダイレクト印刷方式に好適な記録用紙を選択する実施例を示す図
【図３】ユーザが業界標準カメラダイレクト印刷方式に対応した複数種類の記録用紙中から好適な記録用紙を選択する実施例を示す図
【図４】ユーザが業界標準カメラダイレクト印刷方式に対応した複数種類の記録用紙中から使用するＰｒｉｎｔｅｒに好適な記録用紙を選択する実施例を示す図
【符号の説明】
【００５１】
１１００  ＤＳＣ
１１０１  ＵＩ
１１０２  上下左右方向ボタン
１１０３  決定ボタン
１１０４  取り消しボタン
２１００、２２００、２３００、２４００  Ｐｒｉｎｔｅｒ
３０００  ケーブル
４００１  記録用紙種類パッケージ（Ａｌｆａ  ｐａｃｋａｇｅ）
４００２  記録用紙種類パッケージ（Ｂｒａｖｏ  ｐａｃｋａｇｅ）
４００３  記録用紙種類パッケージ（Ｃｈａｒｌｉｅ  ｐａｃｋａｇｅ）
４００４  記録用紙種類パッケージ（Ｄｅｌｔａ  ｐａｃｋａｇｅ）
５００１  記録用紙（Ａｌｆａ  ｐａｐｅｒ）
５００２  記録用紙（Ｂｒａｖｏ  ｐａｐｅｒ）
６１０１、６２０１、６３０１  記録用紙種類情報
６１０２、６２０２、６３０２  記録用紙種類情報
【図１】
2006036322.tif 000003
【図２】
2006036322.tif 000004
【図３】
2006036322.tif 000005
【図４】
2006036322.tif 000006